【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
内部に少なくとも一のクラック助長インサートキャストを有するコンクリート製品中に少なくとも一のクラックを形成する方法において：
前記コンクリート製品の表面上又は上方に加力部材を有するツールを位置させて、これによって前記部材が前記インサート近傍又は上方に位置するステップと；
前記ツールによって前記加力部材を介して前記コンクリート製品に力を加えて、前記インサートに沿って前記コンクリート製品中でクラックの形成を助長するステップと；
を具えることを特徴とする方法。
【請求項２】
請求項１に記載の方法において、前記コンクリート製品が、当該製品の前記表面に形成した少なくとも一のクラック助長溝を有し、前記少なくとも一のクラック助長インサートが前記少なくとも一の溝に実質的に整列しており、前記ツールを前記コンクリート製品の表面上に配置するステップが、
前記コンクリート製品の表面上あるいは上方に前記加力部材を配置して、前記部材が溝及びインサート近傍又は上方にあるようにするステップを具え、
前記コンクリート製品に力を加えるステップが、前記インサートに沿って及び前記インサートと整列した溝との間に前記コンクリート製品内のクラックの形成を助長することを特徴とする方法。
【請求項３】
請求項２に記載の方法において、前記インサートが前記溝の直下あるいは前記溝の一方の側部に位置していることを特徴とする方法。
【請求項４】
請求項１乃至３のいずれか１項に記載の方法において、前記加力部材が細長部材を具えることを特徴とする方法。
【請求項５】
請求項４に記載の方法において、前記加力部材の長さが前記溝及び／又はインサートの長さより短く、前記方法が、前記ツールを前記溝及び／又はインサートに沿って異なる位置へ順次移動させて、各位置において前記コンクリート製品に前記部材を介して力を加えるステップを具えることを特徴とする方法。
【請求項６】
請求項１乃至５のいずれか１項に記載の方法において、前記コンクリート製品がグリッド内に配置されたその上側表面に複数のクラック助長インサートを有し、前記方法が、前記加力部材によって前記コンクリート製品に力又は複数の力を与えて、前記グリッド内の前記インサートに沿って前記コンクリート製品中の複数のクラックの形成を助長するステップを具えることを特徴とする方法。
【請求項７】
請求項１に記載の方法において、前記コンクリート製品がその表面に形成され、グリッド状に構成された複数のクラック助長溝と、グリッド上に構成された複数の対応するクラック助長インサートを具え、各溝が各インサートに実質的に整列しており、前記方法が前記加力部材によって前記コンクリート製品に対して力又は複数の力を加え、前記グリッド内の及び前記インサートと整列した溝との間のインサートに沿って前記コンクリート製品中に複数のクラックの形成を助長するステップとを具えることを特徴とする方法。
【請求項８】
請求項６又は７に記載の方法において、前記インサートが互いに直角に、互いに交差して配置されており、前記インサートがその交差地点において互いに相互連結していることを特徴とする方法。
【請求項９】
請求項６又は７に記載の方法において、前記インサートが互いに直角に配置されており、前記インサートと相互連結するためのコネクタを具えることを特徴とする方法。
【請求項１０】
請求項１乃至９のいずれか１項に記載の方法において、前記コンクリート製品が強化材を含む、又は、含まないコンクリート通路、舗道又はスラブを具えることを特徴とする方法。
【請求項１１】
請求項１乃至１０のいずれか１項に記載の方法において、前記ツールが加衝撃ツールを具え、前記加力部材が加衝撃部材を具え、前記コンクリート製品に力を加えるステップが前記加衝撃部材を介して前記コンクリート製品に衝撃力を加えるステップを具えることを特徴とする方法。
【請求項１２】
請求項１１に記載の方法において、前記衝撃力を加えるステップが、前記製品に対して衝撃部材を置いて、前記衝撃部材に衝撃力を加えるステップを具えることを特徴とする方法。
【請求項１３】
請求項１２に記載の方法において、錘を持ち上げるステップと、前記衝撃部材に対して錘を落とすステップを具えることを特徴とする方法。
【請求項１４】
請求項１１に記載の方法において、前記コンクリート製品に衝撃力を加えるステップが、前記製品に対して直接的に前記衝撃部材を当てるステップを具えることを特徴とする方法。
【請求項１５】
請求項１４に記載の方法において、前記コンクリート製品に対して前記衝撃部材を持ち上げて落とすステップを具えることを特徴とする方法。
【請求項１６】
請求項１乃至１０のいずれか１項に記載の方法において、前記ツールが前記コンクリート製品に振動力を加えるバイブレータを具えることを特徴とする方法。
【請求項１７】
請求項１乃至１６のいずれか１項に記載の方法において、前記少なくとも一のインサートが、「Ｔ」字形状の構成を有し、前記コンクリート製品中で反転した方向に配置されていることを特徴とする方法。
【請求項１８】
内部に少なくとも一のクラック助長インサートキャストを設けたコンクリート製品中に少なくとも一のクラックを形成する装置において、前記装置が、シャーシであって、加力部材を有するツールを支持するシャーシと、前記ツールによって前記部材を介して前記コンクリート製品に力を加え、クラック助長インサートに沿って前記コンクリート製品中のクラックの形成を助長する手段と、を具えることを特徴とする装置。
【請求項１９】
請求項１８に記載の装置において、前記シャーシが移動可能なシャーシを具え、前記装置が前記コンクリート製品上の異なる位置へ移動でき、前記シャーシが少なくとも一対の操縦可能なホイールを支持していることを特徴とする装置。
【請求項２０】
請求項１９に記載の装置において、前記シャーシが２対の操縦可能なホイールを支持しており、前記ホイールが操縦可能であり、前記シャーシがこれによって横方向に移動して前記ツールを再配置することを特徴とする装置。
【請求項２１】
請求項１８乃至２０のいずれか１項に記載の装置において、前記ツールが前記加力部材を具える細長コンタクトビームと、当該コンタクトビームに力を加える手段とを具えることを特徴とする装置。
【請求項２２】
請求項２１に記載の装置において、前記コンタクトビームを前記コンクリート製品の表面上方に上昇させた第１の位置と、前記コンクリート製品の表面に接触する第２の位置との間で移動させるように支持する手段を具えることを特徴とする装置。
【請求項２３】
請求項２２に記載の装置において、前記コンタクトビームが前記シャーシの縦方向又は横方向に延在しており、前記シャーシがその第１及び第２の位置間で前記コンタクトビームを案内するガイドを支持していることを特徴とする装置。
【請求項２４】
請求項２３に記載の装置において、前記ガイドが前記コンタクトビームの対向する端部におけるガイドと、前記コンタクトビームを上昇させ下降させるための各ガイドに連結された上昇及び下降手段とを具えることを特徴とする装置。
【請求項２５】
請求項２１乃至２４のいずれか１項に記載の装置において、前記ツールが衝撃ツールを具え、前記コンタクトビームに力を加える前記手段が、前記コンタクトビームに衝撃を加えるために前記コンタクトビームの上方に錘付衝撃ビームを具えることを特徴とする装置。
【請求項２６】
請求項２５に記載の装置において、前記衝撃ビームを前記コンタクトビームの上方に持ち上げる手段と、前記衝撃ビームを開放する手段とを具え、重力の影響の下に前記コンタクトビームの方向に前記衝撃ビームを落とすことを特徴とする装置。
【請求項２７】
請求項２６に記載の装置において、前記衝撃ビームが前記コンタクトビームに実質的に平行に延在する細長ビームと、前記細長ビームの対向する端部において、前記コンタクトビームの方向へ及び前記コンタクトビームから離れる方向へ前記細長ビームを案内する手段とを具えることを特徴とする装置。
【請求項２８】
請求項２６又は２７に記載の装置において、前記衝撃ビームを上昇させる手段が、縦方向に延在可能な部材を具え、前記衝撃ビームを開放する手段が前記縦方向に延在可能な部材に前記衝撃ビームを開放可能にラッチさせる開放可能なラッチ手段とを具えることを特徴とする装置。
【請求項２９】
請求項１８乃至２４のいずれか１項に記載の装置において、前記ツールが前記加力部材を介して前記コンクリート製品に振動力を加えるバイブレータを具えることを特徴とする装置。
【請求項３０】
請求項２１乃至２８のいずれか１項に記載の装置において、前記コンタクトビームが前記コンクリート製品の表面に接触するコンタクト部材を具えることを特徴とする装置。
【請求項３１】
請求項３０に記載の装置において、前記コンタクト部材が平坦面を有する部材を具えることを特徴とする装置。
【請求項３２】
請求項３１に記載の装置において、前記平坦面に緩衝部材でできたストリップが設けられていることを特徴とする装置。
【請求項３３】
請求項３０に記載の装置において、前記コンタクト部材が刃状部材を具えることを特徴とする装置。
【請求項３４】
請求項２５乃至３３のいずれか１項に記載の装置において、前記コンクリート製品の上に前記装置の移動を案内するレーザ案内システムを具え、前記レーザ案内システムが、インサートの列からオフセットして、これらに平行なレーザ面を設定する手段と、前記装置上で前記装置の縦軸に整列したレーザ受光器を具えることを特徴とする装置。